(57)【要約】      （修正有）【課題】燃焼触媒の暖機を確実に行うことができるエンジンの排気処理装置を提供する。【解決手段】燃焼触媒燃焼用ガス５が生成される前に制御装置４により可燃性ガス生成器１で燃焼触媒暖気用ガス８が生成され、この燃焼触媒暖機用ガス８がエンジン排気経路６を通過する排気７に混入されて、燃焼触媒２上流の着火装置９で着火され、火炎燃焼で昇温された排気７で燃焼触媒２が暖機されるように構成され、燃焼触媒２の暖機終了条件が成立した場合には、燃焼触媒燃焼用ガス５が生成されるように構成され、燃焼触媒暖気用ガス８が生成される場合は、燃焼触媒燃焼用ガス５が生成される場合よりも可燃性ガス生成器１のガス生成触媒１０の目標反応温度が高く設定されることにより、燃焼触媒暖気用ガス８の着火性が燃焼触媒燃焼用ガス５よりも高められるように構成されている。【選択図】図１
2015190369.tif 000002
【特許請求の範囲】
【請求項１】
可燃性ガス生成器(１)と燃焼触媒(２)と排気処理部(３)と制御装置(４)を備え、
制御装置(４)の制御により可燃性ガス生成器(１)で燃焼触媒燃焼用ガス(５)が生成(Ｓ１０)され、この燃焼触媒燃焼用ガス(５)がエンジン排気経路(６)を通過する排気(７)に混入されて、燃焼触媒(２)で触媒燃焼され、この触媒燃焼で昇温された排気(７)が排気処理部(３)に供給されるように構成された、エンジンの排気処理装置において、
燃焼触媒燃焼用ガス(５)が生成(Ｓ１０)される前に制御装置(４)により可燃性ガス生成器(１)で燃焼触媒暖気用ガス(８)が生成(Ｓ６)され、この燃焼触媒暖機用ガス(８)がエンジン排気経路(６)を通過する排気(７)に混入されて、燃焼触媒(２)上流の着火装置(９)で着火され、火炎燃焼で昇温された排気(７)で燃焼触媒(２)が暖機されるように構成され、
燃焼触媒(２)の暖機終了条件が成立した場合には、燃焼触媒燃焼用ガス(５)が生成(Ｓ１０)されるように構成され、
燃焼触媒暖気用ガス(８)が生成(Ｓ６)される場合は、燃焼触媒燃焼用ガス(５)が生成(Ｓ１０)される場合よりも可燃性ガス生成器(１)のガス生成触媒(１０)の目標反応温度が高く設定されることにより、燃焼触媒暖気用ガス(８)の着火性が燃焼触媒燃焼用ガス(５)よりも高められるように構成されている、ことを特徴とするエンジンの排気処理装置。
【請求項２】
請求項１に記載されたエンジンの排気処理装置において、
可燃性ガス生成器(１)がヒータ(１１)を備え、ガス生成触媒(１０)で燃焼触媒暖機用ガス(８)が生成(Ｓ６)される前に、制御装置(４)によりヒータ(１１)の発熱でガス生成触媒(１０)が暖機されるように構成され、
ヒータ(１１)への通電が開始(Ｓ２)されてから所定時間経過後に、ヒータ(１１)への通電が終了(Ｓ４)されるのに対し、その終了(Ｓ４)前に、制御装置(４)により着火装置(９)への通電が開始(Ｓ３)されることにより、燃焼触媒暖機用ガス(８)が生成(Ｓ６)される前に、着火装置(９)が予熱されるように構成されている、ことを特徴とするエンジンの排気処理装置。
【請求項３】
請求項１または請求項２に記載されたエンジンの排気処理装置において、
燃焼触媒(２)のＰＭ堆積量推定装置(１２)を備え、
燃焼触媒(２)のＰＭ堆積量推定値に基づく所定の燃焼触媒再生要求条件が満たされた場合には、制御装置(４)により可燃性ガス生成器(１)で燃焼触媒再生用ガス(１３)が生成(Ｓ１３)され、この燃焼触媒再生用ガス(１３)がエンジン排気経路(６)を通過する排気(７)に混入されて、着火装置(９)で着火され、火炎燃焼で昇温された排気(７)で燃焼触媒(２)に堆積したＰＭが焼却除去されて、燃焼触媒(２)が再生されるように構成されている、ことを特徴とするエンジンの排気処理装置。
【請求項４】
請求項３に記載されたエンジンの排気処理装置において、
着火装置(９)の着火状態検出装置(１４)を備え、
燃焼触媒再生用ガス(１３)が着火されていないことが着火状態検出装置(１４)で検出された場合には、制御装置(４)により可燃性ガス生成器(１)で再着火用ガス(１５)が生成(Ｓ１７)され、再着火用ガス(１５)が生成される場合は、燃焼触媒再生用ガス(１３)が生成(Ｓ１３)される場合よりも、可燃性ガス生成器(１)のガス生成触媒(１０)の目標反応温度が高く設定されることにより、再着火用ガス(１５)の着火性が燃焼触媒再生用ガス(１３)よりも高められるように構成されている、ことを特徴とするエンジンの排気処理装置。
【発明の詳細な説明】
【技術分野】
【０００１】
本発明は、エンジンの排気処理装置に関し、詳しくは、燃焼触媒の暖機を確実に行うことができるエンジンの排気処理装置に関する。
【背景技術】
【０００２】
従来、エンジンの排気処理装置として、可燃性ガス生成器と燃焼触媒と排気処理部と制御装置を備え、制御装置の制御により可燃性ガス生成器で燃焼触媒燃焼用ガスが生成され、この燃焼触媒燃焼用ガスがエンジン排気経路を通過する排気に混入されて、燃焼触媒で触媒燃焼され、この触媒燃焼で昇温された排気が排気処理部に供給されるように構成されたものがある(例えば、特許文献１参照)。
【０００３】
この種の排気処理装置によれば、排気温度が低い場合でも、可燃性ガスの触媒燃焼で排気を昇温させ、排気処理部での排気処理を促進できる利点がある。
【０００４】
しかし、この種の排気処理装置では、燃焼触媒の暖気が不十分である場合には、燃焼触媒が活性化せず、触媒燃焼が起こらない。
【先行技術文献】
【特許文献】
【０００５】
【特許文献１】特開２０１２−１８８９７２号公報(図２参照)
【発明の概要】
【発明が解決しようとする課題】
【０００６】
《問題点》  排気処理部での排気処理の促進が不十分になることがある。
この種の排気処理装置では、燃焼触媒の暖機が不十分である場合には、燃焼触媒が活性化せず、触媒燃焼が起こらず、排気処理部での排気処理の促進が不十分になることがある。
【０００７】
本発明の課題は、燃焼触媒の暖機を確実に行うことができるエンジンの排気処理装置を提供することにある。
【課題を解決するための手段】
【０００８】
請求項１に係る発明の発明特定事項は、次の通りである。
図１に例示するように、可燃性ガス生成器(１)と燃焼触媒(２)と排気処理部(３)と制御装置(４)を備え、
図１、図２に例示するように、制御装置(４)の制御により可燃性ガス生成器(１)で燃焼触媒燃焼用ガス(５)が生成(Ｓ１０)され、この燃焼触媒燃焼用ガス(５)がエンジン排気経路(６)を通過する排気(７)に混入されて、燃焼触媒(２)で触媒燃焼され、この触媒燃焼で昇温された排気(７)が排気処理部(３)に供給されるように構成された、エンジンの排気処理装置において、
図１，図２に例示するように、燃焼触媒燃焼用ガス(５)が生成(Ｓ１０)される前に制御装置(４)により可燃性ガス生成器(１)で燃焼触媒暖気用ガス(８)が生成(Ｓ６)され、この燃焼触媒暖機用ガス(８)がエンジン排気経路(６)を通過する排気(７)に混入されて、燃焼触媒(２)上流の着火装置(９)で着火され、火炎燃焼で昇温された排気(７)で燃焼触媒(２)が暖機されるように構成され、
燃焼触媒(２)の暖機終了条件が成立した場合には、燃焼触媒燃焼用ガス(５)が生成(Ｓ１０)されるように構成され、
図１，図２に例示するように、燃焼触媒暖気用ガス(８)が生成(Ｓ６)される場合は、燃焼触媒燃焼用ガス(５)が生成(Ｓ１０)される場合よりも可燃性ガス生成器(１)のガス生成触媒(１０)の目標反応温度が高く設定されることにより、燃焼触媒暖気用ガス(８)の着火性が燃焼触媒燃焼用ガス(５)よりも高められるように構成されている、ことを特徴とするエンジンの排気処理装置。
【発明の効果】
【０００９】
(請求項１に係る発明)
請求項１に係る発明は、次の効果を奏する。
《効果》  燃焼触媒の暖機を確実に行うことができる。
燃焼触媒暖気用ガス(８)の着火性が燃焼触媒燃焼用ガス(５)よりも高められるように構成されているので、燃焼触媒暖気用ガス(８)の着火の失敗が抑制され、燃焼触媒(２)の暖機を確実に行うことができる。
【００１０】
(請求項２に係る発明)
請求項２に係る発明は、請求項１に係る発明の効果に加え、次の効果を奏する。
《効果》  燃焼触媒の暖機を確実に行うことができる。
図１，図２に例示するように、燃焼触媒暖機用ガス(８)が生成(Ｓ６)される前に、着火装置(９)が予熱されるように構成されているので、燃焼触媒暖気用ガス(８)の着火の失敗が抑制され、燃焼触媒(２)の暖機を確実に行うことができる。
【００１１】
(請求項３に係る発明)
請求項３に係る発明は、請求項１または請求項２に係る発明の効果に加え、次の効果を奏する。
《効果》  燃焼触媒にＰＭが堆積しても、燃焼触媒の機能を回復させることができる。
図１，図２に例示するように、火炎燃焼で昇温された排気(７)で燃焼触媒(２)に堆積したＰＭが焼却除去されて、燃焼触媒(２)が再生されるように構成されているので、燃焼触媒(２)にＰＭが堆積しても、燃焼触媒(２)の機能を回復させることができる。
【００１２】
(請求項４に係る発明)
請求項４に係る発明は、請求項３に係る発明の効果に加え、次の効果を奏する。
《効果》  燃焼触媒の機能の回復を確実に行うことができる。
図１，図２に例示するように、再着火用ガス(１５)の着火性が燃焼触媒再生用ガス(１３)よりも高められるように構成されているので、再着火用ガス(１５)の着火の失敗が抑制され、燃焼触媒(２)の再生処理により燃焼触媒(２)の機能の回復を確実に行うことができる。
【図面の簡単な説明】
【００１３】
【図１】本発明の実施形態に係るエンジンの排気処理装置の模式図である。
【図２】図１の排気処理装置による処理のフローチャートである。
【図３】図１の排気処理装置によるＤＰＦ再生と燃焼触媒再生のタイムチャートである。
【発明を実施するための形態】
【００１４】
図１〜図３は本発明の実施形態に係るエンジンの排気処理装置を説明する図であり、この実施形態では、ディーゼルエンジンの排気処理装置について説明する。
【００１５】
この排気処理装置の概要は、次の通りである。
図１に示すように、排気処理装置は、可燃性ガス生成器(１)と燃焼触媒(２)と排気処理部(３)と制御装置(４)を備えている。
図１，図２に示すように、排気処理装置は、制御装置(４)の制御により可燃性ガス生成器(１)で燃焼触媒燃焼用ガス(５)が生成(Ｓ１０)され、この燃焼触媒燃焼用ガス(５)がエンジン排気経路(６)を通過する排気(７)に混入されて、燃焼触媒(２)で触媒燃焼され、この触媒燃焼で昇温された排気(７)が排気処理部(３)に供給されるように構成されている。
【００１６】
図１に示すように、可燃性ガス生成器(１)は、ガス生成触媒(１０)の触媒反応により空燃混合気(１６)から燃焼触媒燃焼用ガス(５)等の可燃性ガスを生成するものである。
可燃性ガス生成器(１)内にはガス生成触媒(１０)が収容され、その上部には空燃混合室(２５)が設けられている。ガス生成触媒(１０)の上部中央部には下向きに凹設された混合気入口(２１)が設けられている。空燃混合室(２５)には、液体燃料(１７)と空気(１８)とが供給され、これらが混合され、空燃混合気(１６)となり、混合気入口(２１)からガス生成触媒(１０)に供給される。混合気入口(２１)には、ガス生成開始用触媒(２２)が収容され、これにヒータ(１１)が差し込まれている。ガス生成触媒(１０)にはその温度センサ(２６)が差し込まれている。
ガス生成触媒(１０)は、鉄クロム線を織ったもので、鉄クロム線にはロジウム触媒成分が担持されている。ガス生成開始用触媒(２２)は、アルミナ繊維のマットで、表面にロジウム触媒成分が担持されている。ガス生成開始用触媒(２２)は、可燃性ガス生成触媒(１０)に比べ、液体燃料(１７)の保持性が高い。
液体燃料(１７)には軽油が用いられている。
【００１７】
燃焼触媒(２)は、ＤＯＣである。ＤＯＣはディーゼル酸化触媒の略称である。
排気処理部(３)は、ＤＰＦである。ＤＰＦはディーゼル・パティキュレート・フィルタの略称であり、排気(７)中のＰＭを捕捉する。
排気処理部(３)には、ＤＰＦの他、排気浄化触媒(ＳＣＲ触媒やＮＯｘ吸蔵触媒等)を用いることもできる。ＳＣＲ触媒は選択還元触媒の略称、ＮＯｘは窒素酸化物の略称である。
制御装置(４)は、エンジンＥＣＵであり、マイコンである。ＥＣＵは、電子制御ユニットの略称である。
【００１８】
排気処理装置の特徴は、次の通りである。
図１，図２に示すように、燃焼触媒燃焼用ガス(５)が生成(Ｓ１０)される前に制御装置(４)により可燃性ガス生成器(１)で燃焼触媒暖気用ガス(８)が生成(Ｓ６)され、この燃焼触媒暖機用ガス(８)がエンジン排気経路(６)を通過する排気(７)に混入されて、燃焼触媒(２)上流の着火装置(９)で着火され、火炎燃焼で昇温された排気(７)で燃焼触媒(２)が暖機されるように構成されている。
燃焼触媒(２)の暖機終了条件が成立した場合には、燃焼触媒燃焼用ガス(５)が生成(Ｓ１０)されるように構成されている。
着火装置(９)は、グロープラグである。
燃焼触媒燃焼用ガス(５)の他、後述する燃焼触媒暖気用ガス(８)、燃焼触媒再生用ガス(１３)、再着火用ガス(１５)には、着火装置(９)の上流側で、二次空気(２７)が混入される。
【００１９】
燃焼触媒(２)の暖機終了条件が成立する場合は、次の通りである。
図１，図２に示すように、燃焼触媒(２)暖機終了条件の成立が、第１条件と第２条件のいずれかが成立した場合とされ、第１条件は、燃焼触媒(２)の入口温度(Ｔ０)が燃焼触媒(２)の活性化必要温度(ｔ０)以上で、かつ、燃焼触媒(２)の出口温度(Ｔ１)が燃焼触媒(２)の入口温度(Ｔ０)を超える燃焼触媒(２)の活性化確認温度(ｔ１)以上となっている場合とされ、第２条件は、エンジン回転数が低いほど高く設定された燃焼触媒(２)の暖機確認温度(ｔ１´)を燃焼触媒(２)の出口温度(Ｔ１)が所定時間継続して超えている場合とされている。
このため、燃焼触媒(２)の入口温度(Ｔ０)と出口温度(Ｔ１)により、燃焼触媒(２)の活性化を直接に確認できる第１条件と、エンジン回転数に応じた燃焼触媒(２)の出口温度(Ｔ１)により、燃焼触媒(２)の活性化温度の確保が保障される第２条件により、燃焼触媒(２)の活性化が図られ、暖機燃焼触媒(２)の暖機を確実に行うことができる。
【００２０】
図１に示すように、燃焼触媒(２)の入口温度(Ｔ０)は、燃焼触媒(２)の入口の排気温度センサ(１９)により検出される。燃焼触媒(２)の入口温度(Ｔ１)は、燃焼触媒(２)の出口の排気温度センサ(２０)により検出される。活性化必要温度(ｔ０)は燃焼触媒(２)が活性化して燃焼触媒燃焼用ガス(５)を触媒燃焼させることができる下限温度である。活性化確認温度(ｔ１)は、燃焼触媒(２)が活性化した場合の出口の下限温度で、燃焼触媒(２)の入口温度(Ｔ１)に活性化上昇温度(α)を加算した温度である。活性化上昇温度(α)は、燃焼触媒(２)の活性化時に、燃焼触媒暖機用ガス(８)の触媒燃焼で見込まれる排気の上昇温度である。
暖機確認温度(ｔ１´)は、触媒燃焼(２)の入口温度(Ｔ１)に拘わらず、燃焼触媒(２)が活性化した場合の燃焼触媒(２)出口の下限温度で、エンジン回転数が低いほど高くなるように設定されている。エンジン回転数が低くなると、単位時間当たりの燃料噴射量が減少し、排気(７)の温度が低くなり、燃焼触媒(２)に蓄積された熱が奪われるため、暖機確認温度(ｔ１´)を高く設定し、熱の収奪があっても、燃焼触媒(２)の温度を活性化温度に維持できるよう保障するためである。エンジン回転数に応じた暖機確認温度(ｔ１´)は、実験により求められ、マップ化されている。暖機確認温度(ｔ１´)は、活性化必要温度(ｔ０)よりも高い温度に設定されている。
【００２１】
図１，図２に示すように、燃焼触媒暖気用ガス(８)が生成(Ｓ６)される場合は、燃焼触媒燃焼用ガス(５)が生成(Ｓ１０)される場合よりも可燃性ガス生成器(１)のガス生成触媒(１０)の目標反応温度が高く設定されることにより、燃焼触媒暖気用ガス(８)の着火性が燃焼触媒燃焼用ガス(５)よりも高められるように構成されている。
可燃性ガス生成器(１)のガス生成触媒(１０)の目標反応温度が高く設定されると、可燃性ガスが熱分解により低分子化し、着火性が高まる。
ガス生成触媒(１０)の反応温度を高くするには、空燃混合気(１６)の混合比を空気リッチにすればよい。
【００２２】
図１，図２に示すように、可燃性ガス生成器(１)がヒータ(１１)を備え、ガス生成触媒(１０)で燃焼触媒暖機用ガス(８)が生成(Ｓ６)される前に、制御装置(４)によりヒータ(１１)の発熱でガス生成触媒(１０)が暖機されるように構成されている。
図２に示すように、ヒータ(１１)への通電が開始(Ｓ２)されてから所定時間経過後に、ヒータ(１１)への通電が終了(Ｓ４)されるのに対し、その終了(Ｓ４)前に、制御装置(４)により着火装置(９)への通電が開始(Ｓ３)されることにより、燃焼触媒暖機用ガス(８)が生成(Ｓ６)される前に、着火装置(９)が予熱されるように構成されている。
【００２３】
図１に示すように、燃焼触媒(２)のＰＭ堆積量推定装置(１２)を備えている。
図１、図２に示すように、燃焼触媒(２)のＰＭ堆積量推定値に基づく所定の燃焼触媒再生要求条件が満たされた場合には、制御装置(４)により可燃性ガス生成器(１)で燃焼触媒再生用ガス(１３)が生成(Ｓ１３)され、この燃焼触媒再生用ガス(１３)がエンジン排気経路(６)を通過する排気(７)に混入されて、着火装置(９)で着火され、火炎燃焼で昇温された排気(７)で燃焼触媒(２)に堆積したＰＭが焼却除去されて、燃焼触媒(２)が再生されるように構成されている。
【００２４】
図１に示すように、着火装置(９)の着火状態検出装置(１４)を備えている。
図１，図２に示すように、燃焼触媒再生用ガス(１３)が着火されていないことが着火状態検出装置(１４)で検出された場合には、制御装置(４)により可燃性ガス生成器(１)で再着火用ガス(１５)が生成(Ｓ１７)され、燃焼触媒再着火用ガス(１５)が生成される場合は、燃焼触媒再生用ガス(１３)が生成(Ｓ１３)される場合よりも、可燃性ガス生成器(１)のガス生成触媒(１０)の目標反応温度が高く設定されることにより、再着火用ガス(１５)の着火性が燃焼触媒再生用ガス(１３)よりも高められるように構成されている。
可燃性ガス生成器(１)のガス生成触媒(１０)の目標反応温度が高く設定されると、可燃性ガスが熱分解により低分子化し、着火性が高まる。
ガス生成触媒(１０)の反応温度を高くするには、空燃混合気(１６)の混合比を空気リッチにすればよい。
【００２５】
この排気処理装置の処理の流れは、次の通りである。
ステップ(Ｓ１)では、再生要求条件が成立したか否かが判定され、判定が肯定された場合には、ステップ(Ｓ２)に移行する。判定が否定された場合には、ステップ(Ｓ１)の判定を繰り返す。
再生要求条件の成立は、図３に示すように、ＰＭ堆積総量推定値が再生必要値に至った場合とされている。この再生要求条件の成立時には、再生要求の対象がＤＰＦか燃焼触媒(２)かは判別されず、この判別は、後のステップ(Ｓ９)で行われる。
ＰＭ堆積総量推定値は、燃焼触媒(２)の上流側の排気圧に基づいてＰＭ堆積量推定装置(１２)が推定する。排気圧は、排気圧センサ(２３)で検出する。ＰＭ堆積量推定装置(１２)は、制御装置(４)の演算処理部である。
ステップ(Ｓ２)では、ガス生成触媒(１０)のヒータ(１１)への通電が開始され、ステップ(Ｓ３)に移行する。
ステップ(Ｓ３)では、着火装置(９)の通電が開始され、ステップ(Ｓ４)に移行する。
ステップ(Ｓ４)では、ステップ(Ｓ２)での通電の開始から所定時間の経過したことに基づいて、ガス生成触媒(１０)のヒータ(１１)への通電が終了され、ステップ(Ｓ５)に移行する。
ステップ(Ｓ５)では、ガス生成触媒温度(Ｔ３)がガス生成必要温度(ｔ３)以上か否かが判定され、判定が肯定された場合には、暖気終了として、ステップ(Ｓ６)に移行する。判定が否定された場合には、ステップ(Ｓ２)に戻る。
なお、ステップ(Ｓ３)で着火装置(９)の通電が開始された後、燃焼触媒暖機用ガス(８)の着火が着火状態検出装置(１４)で検出された場合には、着火装置(９)の通電は終了してもよく、着火装置(９)の発熱がなくなっても、燃焼触媒暖機用ガス(８)の火炎燃焼は継続し、後述するステップ(Ｓ１０)で生成される着火性の低い燃焼触媒燃焼用ガス(５)に接触すると、燃焼火炎は吹き消される。
【００２６】
ステップ(Ｓ６)では、燃焼触媒暖機用ガス(８)が生成され、ステップ(Ｓ７)に移行する。
ステップ(Ｓ７)では、燃焼触媒(２)の暖機終了条件の第１条件、すなわち燃焼触媒(２)の入口温度(Ｔ０)が活性化必要温度(ｔ０)以上で、かつ、燃焼触媒(２)の出口温度(Ｔ１)が活性化確認温度(ｔ１)以上となっている否かが判定され、判定が肯定された場合には、ステップ(Ｓ９)に移行する。
ステップ(Ｓ７)での判定が否定された場合には、ステップ(Ｓ８)に移行し、燃焼触媒(２)の暖機終了条件の第２条件、すなわち燃焼触媒(２)の出口温度(Ｔ１)が暖機確認温度(ｔ１´)を所定時間継続して超えたているか否かが判定され、判定が肯定された場合には、ステップ(Ｓ９)に移行する。判定が否定された場合には、ステップ(Ｓ６)に戻る。
【００２７】
ステップ(Ｓ９)では、燃焼触媒(２)の再生要求条件が成立したか否かが判定され、判定が肯定された場合には、ステップ(Ｓ１０)に移行し、排気処理装置(３)であるＤＰＦの再生が開始される。判定が否定された場合には、ステップ(Ｓ１３)に移行し、燃焼触媒(２)の再生が開始される。
図３に示すように、燃焼触媒(２)の再生要求条件は、前回の再生終了から今回の再生要求条件の成立までのインターバル(２４)が所定時間未満である場合に成立する。
ＤＰＦに堆積するＰＭは、１回のＤＰＦ再生処理や１回の燃焼触媒再生処理でほぼ全量が除去されるが、燃焼触媒(２)に堆積したＰＭは複数回のＤＰＦ再生処理でも除去されず、次第に累積されるため、前記インターバル(２４)が所定時間未満になる場合には、燃焼触媒(２)の再生に必要な所定量のＰＭが堆積していると推定することができるためである。
ステップ(Ｓ１０)では、燃焼触媒燃焼用ガス(５)が生成され、ステップ(Ｓ１１)に移行する。ステップ(Ｓ１１)では、ＤＰＦ再生終了条件が成立したか否かが判定され、判定が肯定された場合には、ステップ(Ｓ１２)に移行する。
ＤＰＦ再生終了条件は、ＤＰＦ入口温度(燃焼触媒出口温度)が所定温度以上で所定時間経過した場合に成立する。
ステップ(Ｓ１２)では、ＤＰＦの再生が終了し、処理が終了する。
ＤＰＦの再生の終了は、燃焼触媒燃焼用ガス(５)の生成を停止することにより行われる。
【００２８】
ステップ(Ｓ１３)では、燃焼触媒再生用ガス(１３)が生成され、ステップ(Ｓ１４)に移行する。
ステップ(Ｓ１４)では、燃焼触媒再生用ガス(１３)が着火状態か否かが判定され、判定が肯定された場合には、ステップ(Ｓ１５)に移行する。ステップ(Ｓ１４)での判定が否定された場合には、ステップ(Ｓ１６)に移行する。
ステップ(Ｓ１６)では、着火装置(９)の通電が再開され、ステップ(Ｓ１７)に移行する。
ステップ(Ｓ１７)では、再着火用ガス(１５)が生成され、ステップ(Ｓ１４)に戻る。
ステップ(Ｓ１６)では、燃焼触媒(２)の再生終了条件が成立したか否かが判定され、判定が肯定された場合には、ステップ(Ｓ１８)に移行する。
燃焼触媒(２)の再生終了条件は、燃焼触媒(２)の入口温度が所定温度以上で所定時間経過した場合に成立する。
ステップ(Ｓ１８)では、燃焼触媒(２)の再生が終了され、処理が終了する。
燃焼触媒(２)の再生終了は、燃焼触媒再生用ガス(１３)の生成を停止することにより行われる。
なお、ステップ(Ｓ１６)で着火装置(９)の通電が再開された後、再着火用ガス(１５)の着火が着火状態検出装置(１４)で検出された場合には、着火装置(９)の通電は終了してもよく、着火装置(９)の発熱がなくなっても、再着火用ガス(１５)の燃焼火炎は燃焼触媒再生用ガス(１３)に引き継がれて火炎燃焼は継続する。
【符号の説明】
【００２９】
(１) 可燃性ガス生成器
(２) 燃焼触媒
(３) 排気処理部
(４) 制御装置
(５) 燃焼触媒燃焼用ガス
(６) エンジン排気経路
(７) 排気
(８) 燃焼触媒暖気用ガス
(９) 着火装置
(１０) ガス生成触媒
(１１) ヒータ
(１２) ＰＭ堆積量推定装置
(１３) 燃焼触媒再生用ガス
(１４) 着火状態検出装置
(１５) 再着火用ガス
(Ｓ２) ヒータへの通電が開始
(Ｓ３) 着火装置への通電が開始
(Ｓ４) ヒータへの通電が終了
(Ｓ６) 燃焼触媒暖気用ガスが生成
(Ｓ１０) 燃焼触媒燃焼用ガスが生成
(Ｓ１３) 燃焼触媒再生用ガスが生成
(Ｓ１８) 燃焼触媒再着火用ガスが生成
【図１】
2015190369.tif 000003
【図２】
2015190369.tif 000004
【図３】
2015190369.tif 000005